(57)【要約】【課題】同じ浴室壁でありながら異なる見え方を可能とする浴室照明装置を提供する。【解決手段】基板２１に樹脂フィルム２２が積層されてなる化粧パネル２が設けられる浴室壁１１と、近壁照明部３および遠壁照明部４が設けられる浴室天井１２とを備える。樹脂フィルム２２は、基板２１側に設けられる柄形成フィルム２３と、その表面２６側に設けられる光透過フィルム２４とが積層されて形成される。柄形成フィルム２３は表面２６に柄が設けられ、光透過フィルム２４は表面に凹凸２７が設けられる。浴室天井１２の化粧パネル２が設けられた浴室壁１１に隣接する箇所に、近壁照明部３が設けられる。浴室天井１２の化粧パネル２が設けられた浴室壁１１から所定の間隔をあけた箇所に遠壁照明部４が設けられる。近壁照明部３が点灯し遠壁照明部４が消灯する状態と、近壁照明部３が消灯し遠壁照明部４が点灯する状態とを切り替える切替手段５が設けられる。【選択図】図１
2013255653.tif 000002
【特許請求の範囲】
【請求項１】
基板に樹脂フィルムが積層されてなる化粧パネルが設けられる浴室壁と、近壁照明部および遠壁照明部が設けられる浴室天井とを備えた浴室照明装置であって、
前記樹脂フィルムは、前記基板側に設けられる柄形成フィルムと、前記柄形成フィルムの表面側に設けられる光透過フィルムとが積層されて形成され、前記柄形成フィルムは表面に柄が設けられ、前記光透過フィルムは表面に凹凸が設けられ、
浴室天井の前記化粧パネルが設けられた前記浴室壁に隣接する箇所、または、前記化粧パネルが設けられた前記浴室壁と前記浴室天井とで形成される隅部に、近壁照明部が設けられ、
前記浴室天井の前記化粧パネルが設けられた前記浴室壁から所定の間隔をあけた箇所に、遠壁照明部が設けられ、
前記近壁照明部が点灯し前記遠壁照明部が消灯する状態と、前記近壁照明部が消灯し前記遠壁照明部が点灯する状態とを切り替える切替手段が設けられることを特徴とする浴室照明装置。
【発明の詳細な説明】
【技術分野】
【０００１】
本発明は、浴室照明装置に関するものである。
【背景技術】
【０００２】
従来から、複数の照明部を備えた浴室が知られている（例えば特許文献１参照）。そして、切替手段により、いずれの照明部が点灯していずれの照明部が消灯するかが切り替えられる。しかしながら、点灯／消灯する照明部の切り替えにより、浴室壁の見え方が異なるようなものではなかった。
【先行技術文献】
【特許文献】
【０００３】
【特許文献１】特開平９−７３９８７号公報
【発明の概要】
【発明が解決しようとする課題】
【０００４】
本発明は上記従来の問題点に鑑みて発明したものであって、その目的とするところは、同じ浴室壁でありながら異なる見え方を可能とする浴室照明装置を提供することを課題とするものである。
【課題を解決するための手段】
【０００５】
上記課題を解決するために、本発明は、以下のような構成とする。
【０００６】
基板に樹脂フィルムが積層されてなる化粧パネルが設けられる浴室壁と、近壁照明部および遠壁照明部が設けられる浴室天井とを備えた浴室照明装置であって、前記樹脂フィルムは、前記基板側に設けられる柄形成フィルムと、前記柄形成フィルムの表面側に設けられる光透過フィルムとが積層されて形成され、前記柄形成フィルムは表面に柄が設けられ、前記光透過フィルムは表面に凹凸が設けられ、浴室天井の前記化粧パネルが設けられた前記浴室壁に隣接する箇所、または、前記化粧パネルが設けられた前記浴室壁と前記浴室天井とで形成される隅部に、近壁照明部が設けられ、前記浴室天井の前記化粧パネルが設けられた前記浴室壁から所定の間隔をあけた箇所に、遠壁照明部が設けられ、前記近壁照明部が点灯し前記遠壁照明部が消灯する状態と、前記近壁照明部が消灯し前記遠壁照明部が点灯する状態とを切り替える切替手段が設けられることを特徴とする。
【発明の効果】
【０００７】
本発明の浴室照明装置は、同じ浴室壁でありながら異なる見え方を可能とするものである。
【図面の簡単な説明】
【０００８】
【図１】本発明の一実施形態の浴室照明装置が設けられた浴室を示し、（ａ）は近壁照明部が点灯し遠壁照明部が消灯している場合の断面図を示し、（ｂ）は近壁照明部が消灯し遠壁照明部が点灯している場合の断面図を示す。
【図２】同上の実施形態における化粧パネルの断面図である。
【図３】樹脂フィルムの他の形態を示す断面図である。
【発明を実施するための形態】
【０００９】
以下、本発明を添付図面に示す実施形態に基いて説明する。
【００１０】
本発明の浴室照明装置は、図１に示すように、化粧パネル２が設けられた浴室壁１１と、近壁照明部３および遠壁照明部４が設けられた浴室天井１２と、近壁照明部３と遠壁照明部４の点灯／消灯を切り替える切替手段５で構成される。
【００１１】
浴室１は、図１に示すように、床パン１３と、浴槽１４と、床パン１３上に載置され浴室壁１１を構成する壁パネルと、浴室壁１１上に載置され浴室天井１２を構成する天井パネルとで構成される浴室ユニットからなるが、特にこれに限定されない。
【００１２】
化粧パネル２は、図２に示すように、基板２１と、基板２１の表面に積層される樹脂フィルム２２とで構成される。基板２１は、溶融亜鉛メッキ鋼板等の金属板が主に用いられるが、他の金属でもよく、また、金属以外の材質で形成される板でもよい。
【００１３】
樹脂フィルム２２は、例えばポリエステルで形成されるもので、基板２１側に設けられる柄形成フィルム２３と、柄形成フィルム２３の表面２６側（すなわち基板２１と反対側）に設けられる光透過フィルム２４の少なくとも二層を有するもので、本実施形態では更に隠蔽層２５を備えている。
【００１４】
隠蔽層２５は、基板２１の表面に形成される遮光性を有するもので、基板２１の表面が見えないように隠蔽している。なお、隠蔽層２５は設けられなくてもよい。
【００１５】
柄形成フィルム２３は、本実施形態ではＰＢＴ（ポリブチレンテレフタラート）で形成され、顔料が混合されて着色がなされている。また、柄形成フィルム２３の表面２６には、柄や模様（単に柄と称するが、その他、文字・図形・記号等の様々な形状や色分け等を含むものとする）が印刷やエンボス等により施されている。本実施形態では、柄形成フィルム２３の厚みは５０〜５００μｍである。
【００１６】
光透過フィルム２４は、本実施形態ではＰＢＴで形成されている。そして、光透過フィルム２４は光透過性を有するものであるが、光透過性を損なわないように着色されていてもよい。これにより、光透過フィルム２４を介して柄形成フィルム２３の柄が透過して見えるものである。本実施形態では、光透過フィルム２４の厚みは１０〜１００μｍである。そして、光透過フィルム２４の表面に凹凸２７が形成される。凹凸２７は、エンボス加工により形成され、底部から頂部までの距離が５〜１５０μｍである。凹凸２７は、同形状のものが多数並設されていてもよいし、異なる形状のものが所定の単位で繰り返されたりランダムに設けられてもよい。なお、柄形成フィルム２３と光透過フィルム２４の材質や厚みは、前記のものに限定されない。
【００１７】
基板２１の表面に樹脂フィルム２２が貼着されて、化粧パネル２が構成される。また、化粧パネル２の表面に形成される凹凸２７は、図３に示すように、光透過フィルム２４の表面のみにエンボス加工により形成されるものの他、樹脂フィルム２２全体にエンボス加工により形成されるものでもよい。
【００１８】
近壁照明部３は、図１に示すように、浴室天井１２の化粧パネル２が設けられた浴室壁１１に隣接する箇所に設けられる。近壁照明部３は、本実施形態では棒状をした導光部材と、ＬＥＤからなる発光源とで構成される。導光部材は、特に図示しないが、浴室壁１１の左右方向の略全長に亘るように設けられ、導光部材の長手方向の一端面に発光源が設けられる。発光源からの光が導光部材の一端面から入射し、主に一側面の出射面から出射されるものである。なお、近壁照明部３は、蛍光灯により構成されてもよいし、複数のＬＥＤが直線上に並設されて構成されてもよく、特に限定されない。また、近壁照明部３は、化粧パネル２が設けられた浴室壁１１と浴室天井１２とで形成される隅部に設けられてもよい。
【００１９】
遠壁照明部４は、図１に示すように、浴室天井１２の化粧パネル２が設けられた浴室壁１１から所定の間隔をあけた箇所に設けられる。遠壁照明部４も近壁照明部３と同様に、本実施形態では導光部材と発光源とで構成される。なお、近壁照明部３は、蛍光灯により構成されてもよいし、複数のＬＥＤが直線上に並設されて構成されてもよく、特に限定されない。導光部材は、浴室壁１１の左右方向の略全長に亘るように設けられる。なお、近壁照明部３および遠壁照明部４は、浴室壁１１の左右方向の略全長に亘るように設けられるのが好ましいが、浴室壁１１の左右方向の略全長に亘って設けられる必要はない。
【００２０】
切替手段５は、近壁照明部３が点灯し遠壁照明部４が消灯する状態と、近壁照明部３が消灯し遠壁照明部４が点灯する状態とを切り替えるものである。切替手段５としては、近壁照明部３と遠壁照明部４のうち一方を通電／他方を不通電の組み合わせで切り替えるスイッチや、近壁照明部３と遠壁照明部４とについて独立して通電／不通電の切り替えをそれぞれ行うスイッチ等で構成されるが、他の手段によるものでもよい。
【００２１】
上記浴室照明装置は、近壁照明部３と遠壁照明部４のいずれが点灯し他方が消灯するかにより、入浴者６への浴室壁１１の見え方が異なるものである。
【００２２】
近壁照明部３が点灯し遠壁照明部４が消灯する時には、図１（ａ）に示すように、近壁照明部３から化粧パネル２の方へ照射された光は、光透過フィルム２４の表面で反射して入浴者６の眼に到達するが、反射角が大きいため、凹凸２７による陰影が強調されて見える。これにより、柄形成フィルム２３の表面に形成されている柄が例えば積み石調の柄であると、その表面の凹凸２７が石肌のように見え、積み石の質感が得られるものである。
【００２３】
近壁照明部３が消灯し遠壁照明部４が点灯する時には、図１（ｂ）に示すように、遠壁照明部４から化粧パネル２の方へ照射された光は、光透過フィルム２４の表面で反射して入浴者６の眼に到達するが、反射角が小さいため、凹凸２７による陰影があまり見えない。これにより、入浴者６には、柄形成フィルム２３の表面に形成されている柄が強調されて見える。
【００２４】
上記のように、浴室壁１１を見る入浴者６が石肌のような質感を得たり、柄形成フィルム２３の表面に形成されている柄が強調されて見えたりして、同じ浴室壁１１でありながら、異なる見え方の現出が可能となり、商品価値の高いものとなる。また、図示しないが、切替手段５として、石肌のような質感が得られる旨の表示を有する操作部と、柄形成フィルム２３に形成されている柄が見える旨の表示を有する操作部と、を備えることで、より一層商品価値の高いものとなる。
【符号の説明】
【００２５】
１    浴室
１１  浴室壁
１２  浴室天井
１３  床パン
１４  浴槽
２    化粧パネル
２１  基板
２２  樹脂フィルム
２３  柄形成フィルム
２４  光透過フィルム
２５  隠蔽層
２６  表面
２７  凹凸
３    近壁照明部
４    遠壁照明部
５    切替手段
６    入浴者
【図１】
2013255653.tif 000003
【図２】
2013255653.tif 000004
【図３】
2013255653.tif 000005